(57)【要約】ディスペンサと加圧飲料を含んでなる飲料製品。ディスペンサは飲料を保持する容器と、弁を有する。飲料はそれに溶解した可溶性の小さい泡立ち誘起ガスを含み、弁が開いているときに飲料が発泡性の液体としてディスペンサから放出させるのに十分な、容器の頭隙のガス圧力下で保持される。【特許請求の範囲】
【請求項１】
ディスペンサと飲料を含んでなる飲料製品であって、前記ディスペンサは前記飲料を保持する容器と、該容器を密閉する容器密閉位置に偏倚されるが前記容器から前記飲料を分配するために開くことが可能な弁とを備え、かつ、可溶性の小さい泡立ち誘起ガスが前記飲料に溶け込んでおり、前記飲料は、前記弁が開いているときに前記飲料が前記ディスペンサから発泡性の液体として十分に放出されるように、前記容器内の前記液体飲料の上の頭隙において所定ガス圧下で保持されている飲料製品。
【請求項２】
前記飲料は前記頭隙において５〜１５℃の温度で少なくとも２.５気圧ゲージのガス圧下で保持されている請求項１の飲料製品。
【請求項３】
前記可溶性の小さい泡立ち誘起ガスは、酸素、窒素、亜酸化窒素、水素、希ガス、気体炭化水素及びそれの混合物から成る群から選択される請求項１又は２の飲料製品。
【請求項４】
前記可溶性の小さい泡立ち誘起ガスは酸素である請求項３の飲料製品。
【請求項５】
前記飲料は、前記可溶性の小さい泡立ち誘起ガスよりもより良く水に溶け、かつ、１８℃で前記頭隙において絶対１気圧を超えない分圧を有し前記飲料に溶け込んださらなるガスを含む請求項１ないし４のいずれか１つに記載の飲料製品。
【請求項６】
前記さらなるガスは二酸化炭素である請求項５の飲料製品。
【請求項７】
前記容器内の前記液体飲料と前記泡立ち誘起ガスの量は、前記弁を断続的に開くことによって、ある時間に渡り、前記発泡性の液体が何回かに分けて分配される量である請求項１の飲料製品。
【請求項８】
前記弁はエーロゾル弁である請求項１ないし７のいずれか１つに記載の飲料製品。
【請求項９】
前記飲料は水、又は、紅茶若しくはコーヒーをベースとする飲料である請求項１ないし８のいずれか１つに記載の飲料製品。
【請求項１０】
前記ディスペンサは、前記ディスペンサの出口部分に配設され前記弁を開いて前記容器から前記発泡性の液体を解放するアクチェエータ手段を有し、該アクチェエータ手段は、ユーザの口又は歯が係合できるように成形され配設され液体を直接ユーザの口の中に解放することを可能にする請求項１ないし９のいずれか１つに記載の飲料製品。
【請求項１１】
前記アクチェエータ手段は、前記出口部分に取り付けられ弁閉位置と、弁開位置の間を移動するボタンであって、前記出口部分を噛む動作により前記弁開位置へ移動されるボタンを含む請求項１０の飲料製品。
【請求項１２】
前記容器は、前記容器の中で前記弁に取り付けられ前記容器の内部に延伸するディップチューブを有し、前記容器が直立しているとき、前記ディップチューブの端部が前記飲料レベル以下にあり、前記弁が開かれているときに前記頭隙内の前記ガスの圧力によって前記発泡性の液体が前記ディップチューブを通って押し出されるように設けた請求項１ないし１１のいずれか１つに記載の飲料製品。
【請求項１３】
前記ディップチューブは、前記容器の中の前記飲料の上の前記頭隙から前記ディップチューブの内部に連通する開孔を有し、該開孔は、前記弁が開いているときに前記ディップチューブを通して分配される液体に前記頭隙からガスが連行されることを可能にする請求項１２の飲料製品。
【請求項１４】
前記弁が開かれたときに前記容器から放出されるガスの量は、１気圧２０℃で測定されたとき、液体飲料１立方センチメートルあたり０.５立方センチメートルを越える請求項１３の飲料製品。
【請求項１５】
前記容器の中の前記頭隙が前記容器の容積の１０％ないし８０％を含んでなる請求項１の飲料製品。
【請求項１６】
前記ディスペンサが逆さであるときに前記弁の開きを防ぐ手段を含んでなる請求項１の飲料製品。
【請求項１７】
前記可溶性の小さい泡立ち誘起ガスは、前記弁が開かれたときに前記容器に内容物を解放するウィジェットの中に収納されている請求項１の飲料製品。
【請求項１８】
前記ウィジェットは、前記弁が開かれるときに容器内に解放される濃縮風味を含む請求項１６の飲料製品。
【請求項１９】
容器内に液体飲料を入れ、前記容器を閉じ、前記弁を開いたときに前記容器の頭隙における十分なガス圧により前記飲料が発泡性の液体としてディスペンサから放出されるように可溶性の小さい泡立ち誘起ガスを前記容器内に導入し、前記弁を開いて前記飲料を前記発泡性の液体として放出することを含んでなる発泡性の飲料液体の生産方法。
【発明の詳細な説明】
【技術分野】
【０００１】
本発明は、可溶性の小さい泡立ち誘起ガスが溶け込んだ加圧（与圧）飲料と、ディスペンサとを含んでなる飲料製品に関する。ディスペンサは飲料が発泡性の液体として放出させるために開くことができる弁を有する。
【背景技術】
【０００２】
ミネラルウォーター、ソフトドリンク及び氷で冷やした紅茶などの炭酸飲料は消費者に非常にポピュラーである。二酸化炭素は水に容易に溶け込み、２０℃、１気圧において水１Kｇ当たり１.６９ｇの溶解度を有し、また安価であり、入手範囲が広く、かつ、無害である。二酸化炭素が圧力下で容器中の飲用液体に混ぜられ、容器が大気に開かれても、そのガスの大部分は飲用の液体の中に溶けたまま残る。このことは、望まれるならば、ガスを含んだ液体の劣化や変質を最小にしながら、容器を再シールし、かつ、短い時間収納されることを可能にする。これらの炭酸飲料は通常、アルミニウム缶又はガラス若しくはプラスチックで作られたボトルの中に入れられる。
【０００３】
飲料の水溶液に多量の二酸化炭素が存在すると、炭酸特有の味を生じさせる。ある消費者は、炭酸の刺すような感覚と味の両方を不快に感ずる。炭酸はまた、膨満感を生じさせる。
【０００４】
酸素などの水にほとんど溶解しないガスは、二酸化炭素などのより溶け易いガスと同じ方法では飲用の液体の中に通常使われない。酸素は２０℃、１気圧で水１ｋｇ当たり０.０４３ｇの溶解度を有する。その結果、酸素が大気条件下で飲用の液体に加えられるか、又は加圧された含酸素飲料を保持する容器が大気に開かれるとき、飲料に含まれる酸素の大部分は飲料から急速に逃げ出して周囲の大気中に分散されるであろう。
【０００５】
これらの困難にもかかわらず、溶存酸素を含む飲料を作るいくつかの試みがなされた。
【０００６】
日本特許明細書ＪＰ６４−２７４５８は、圧力下で酸素が溶け込んでいる飲料を含んでなるスポーツドリンク製品を開示する。しかしながら、酸素は水に溶け込むことはきわめて少なく、知られている健康飲料において、飲料容器が開かれるとき、飲料と共にパッケージされた酸素はほとんどすべて逃げてしまう。その結果、飲まれるときには泡がほとんど立たない。
【０００７】
米国特許第５３７８４８０号明細書は、作られた直後に飲まれる含酸素飲料を作る方法を記述している。その方法は、酸素ガスを捕らえて一時的に保持することができる発泡剤を含む粉の量を容器の中で計量し、その粉を所定量の液体に加え、泡立っている飲料を生産するために均等に粉と液体を混ぜ、さらに手で持つ酸素キャニスタを使用して、分配チューブを介して容器の中の飲料に均等に酸素を分散させることを伴う。米国特許第５３７８４８０号は、飲料が作られた後直ちに飲まれなければならず、さもなければ、飲料の酸素分が急速に失われることを教える。
【０００８】
日本特許ＪＰ１１６８２６９明細書は、多量の酸素を含む飲み物の中に泡を創成することによって飲み物の風味を改良する方法に関する。この飲み物は、高濃度の酸素が既に溶け込んでいる飲み物の中に加圧酸素を分散することによってガス化される。スプレーノズルを操作して弁を開き、酸素が溶解したウォータを解放する。
【０００９】
したがって、知られている製品の前述のいくつかの難点を回避できる適当なディスペンサから分配されたときに滑らかですべすべとした口の感じを与え、又は、役に立つ代りのものを消費者に少なくとも提供する、可溶性の小さい泡立ち誘起ガスを含む飲料製品に対する需要はいまだ存在する。
【発明の開示】
【００１０】
広い意味で、本発明はディスペンサと飲料を含んでなる飲料製品に関し、ディスペンサは該飲料を保持する容器と、容器を密閉する密閉位置に付勢されているが飲料が容器から分配されることを可能にするために開くことができる弁とを有し、飲料はそれに溶け込んだ可溶性の小さい泡立ち誘起ガスを有する液体であり、飲料製品は、弁が開かれたときに、飲料を発泡性の液体としてディスペンサから放出させるのに十分なガス圧下で飲料が容器内の液体飲料の上の頭隙において保持されることを特徴としている。
【００１１】
飲料は望ましくは、５〜１５℃で、頭隙において少なくとも２.５気圧ゲージのガス圧下で保持される。
【００１２】
可溶性の小さい泡立ち誘起ガスは望ましくは酸素、窒素、亜酸化窒素、水素、希ガス、気体炭化水素及びそれらの混合物から成る群から選択される。また、望まれているならば、上に示された群のガスよりも水に対してより可溶性のガスであって、頭隙において１８℃で１気圧（絶対）を超えない分圧を有するさらなるガス、例えば、二酸化炭素を飲料の中に溶かすこととしてもよい。
【００１３】
発泡性の液体は可溶性の小さいガスの非常に小さい気泡を含んでいて、二酸化炭素などのより可溶性のガスの泡立ちにより生じるとげの多い（刺すような）感覚を与えない。液体は滑らかですべすべとした感覚を消費者に与え、それは風味飲料からの風味の送り出しを高めることができる。飲料が透明であるならば、例えば、それが水か風味付きの水であるならば、可溶性の小さいガスの多くの微小気泡は、飲料が飲まれるときに、煙のような見栄えを飲料に与える。
【００１４】
飲料は望ましくは紅茶ベース若しくはコーヒーベースのもの、又は、水若しくは風味付きの水である。
【００１５】
望ましくは、弁は、加圧分配容器（エーロゾル缶としてしばしば知られている）としての使用が知られているタイプのものとすることができる。そのような弁はいくつかのメーカーから容易に入手できる。このタイプの知られているエーロゾル弁は、通常高圧容器の内容物が出ることを防ぐ密閉位置に保持される弁部材を有する。密閉位置では、弁部材は、例えば、スプリングによって付勢されて密閉部材に接する。そして、弁部材は高圧容器の内容物が分配されることを許容する分配位置に動かされる。弁部材が分配位置に向かって動かされるにつれ、弁部材と密閉部材は離れるように動かされ、容器の中の加圧ガス（推進剤）によって加えられる圧力下で高圧容器の内容物が弁を通過することを許容する。往復運動かロッキング運動によって弁部材を密閉部材から遠ざけるように動かすこととしてもよい。上で説明されたエーロゾル弁が好ましいが、本発明では、目的に適したどんな弁も使用することができる。上で説明されたタイプの弁は、以下、「エーロゾル弁」と呼ばれる。
【００１６】
容器の中の液体飲料と泡立ち誘起ガスの量は、所定の経過時間に渡り、弁を連続して開くことによって発泡性液体が複数回に分けて分配されるものであることが望ましい。
【００１７】
ディスペンサは望ましくは、ディスペンサの出口部分に設けられ容器から発泡性の液体を解放するために弁を開くアクチェエータ手段を含む。アクチェエータ手段は、発泡性の液体を消費者の口に直接排出することができるように消費者の口か歯を係合させて操作できるように成形され配設されることが好ましい。望ましくは、アクチェエータ手段は、前記出口部分に取り付けられたボタンであって、弁閉位置と、弁開位置（前記出口部分を噛むことによってボタンをこの弁開位置へ移動することができる）の間で可動であるボタンを含んでいる。
【００１８】
容器は望ましくは弁から容器の内部に延伸するディップチューブであって、容器が直立しているときにディップチューブの端部が飲料のレベルの下に位置し、弁が開いているとき、発泡性の液体がディップチューブ内を通って押し出されるディップチューブを有する。ディップチューブは、容器の中の飲料の上の頭隙からディップチューブの内部へ連通する開孔であって、弁が開いているときにディップチューブを通って分配される液体に頭隙からのガスを連行させる開孔を有することができる。ディップチューブに開孔を有する容器において、弁が開かれるときに容器から押し出される気体量は２０℃、１気圧下において、液体飲料１立方センチメートルあたり０．５立方センチメートル以上である。
【００１９】
また、本発明は、発泡性の飲料液体を生産する方法であって、容器の中に液体飲料を入れ、容器を密閉し、可溶性の小さい泡立ち誘起ガスであって容器の頭隙において該ガスの圧力は弁が開かれたときに飲料を発泡性の液体としてディスペンサから放出するのに十分な圧力であるガスを容器内に導入し、前記の発泡性の液体として飲料を放出するためにその弁を開くことを含んでなる方法であると言うことができる。
【００２０】
疑問を回避するため、「含んでなる」という単語は含んでいるということを意味し、必ずしも「だけから成る」又は「だけから構成される」というわけではないことを意味することを意図する。言い換えれば、上に記載されたステップ又はオプションは網羅的である必要はない。
【００２１】
本明細書において、例を除き、あるいは明示的に示す場合以外において、材料の量又は濃度を示すすべての数は、「約」の意味であることが理解されるべきである。
【発明の実施するための最良の形態】
【００２２】
発明はここで例としてさらに添付図面に関して説明される。
【００２３】
本発明の飲料製品はディスペンサと加圧飲料を含んでなる。ディスペンサは、飲料を加圧状態に保持するのに適当な容器と、飲料が発泡性の液体としてディスペンサから放出されることを許容するために開かれることができる弁を有する。
【００２４】
飲料はそれに溶け込んだ可溶性の小さい泡立ち誘起ガスを含む。そのガスは酸素、窒素、亜酸化窒素、水素、希ガス、気体炭化水素又はそれらの混合物とすることができる。酸素は高温において無毒、非窒息性、かつ安全であるので特に好ましい。望まれるならば、上に示されたガスよりも水に対してより良く溶け込み、かつ、頭隙において１８℃で絶対１気圧を超えない分圧を有するさらなるガス（例えば、二酸化炭素）をまた飲料の中に溶け込ませることとしてもよい。
【００２５】
可溶性の小さい泡立ち誘起ガスは、弁が開いているときに飲料が発泡性の液体としてディスペンサから放出されることを引き起こすのに十分な頭隙におけるガス圧下で飲料に溶かされるべきである。本願の発明者は、その圧力が望ましくは、５〜１５℃で少なくとも２.５気圧ゲージであり、そうでなければ、飲料がディスペンサから放出されるとき必要な発泡性の液体を生産せずにガスが解放される傾向があるということを発見した。
【００２６】
飲料は望ましくは紅茶若しくはコーヒーベースのもの又は水である。それはどんな適当な風味物質も含むことができる。飲料は、ミルク、増白剤、クリーマー、風味（フレーバ）、甘味料、保存料、又はそれらの組み合わせも含むことができる。飲料はまた、果物ベースのもの、野菜ベースのもの、ヨーグルトベースのもの、大豆ベースのもの、アルコール、ビール、スムージー、ダイエット製品とすることができる。望まれるならば、パッケージ飲料は酸化を最小にするためのゼオライトなどの酸素吸着材を含むことができる。
【００２７】
ディスペンサの弁は、それが容易に入手できるようにエーロゾル弁であることが便利であるが、目的に適したどんな弁も使用することができる。
【００２８】
弁が開かれると、加圧飲料は発泡性の液体としてディスペンサの容器から放出される。この液体は可溶性のガスの非常に小さい気泡を含んでいて、二酸化炭素などの、より可溶性のガスの泡立ちによって時々生産されるとげの多い感覚や膨満感を与えない。発泡性の液体は滑らかですべすべとした感覚を消費者に提供する。それは風味飲料から風味を送り出すことを高めることさえできる。飲料が、例えば水又は風味付きの水のように、透明であるならば、可溶性の小さいガスの泡立ちは、飲料が飲まれるときにそれにすばらしい煙のような外観を与える。
【００２９】
ディスペンサは望ましくは、容器から液体飲料を解放するために弁を開くことが可能なアクチェエータ手段を含んでいる。アクチェエータ手段は、発泡性の液体を直接消費者の口に渡すことができるようにユーザの口又は歯が係合できるように成形されかつ位置される。代わりに、消費者の手又は指で操作されるようにそれを適合させることもできる。アクチェエータ手段はさまざまな形態を取ることができるが、望ましくは、ディスペンサの出口部分に設けられる。ディスペンサの好ましい実施の形態では、アクチェエータ手段は、ディスペンサの出口部分に取り付けられたボタンであって、前記出口部分にねじり、吸引又は噛む操作を与えること、あるいは、消費者による他の操作によって弁閉位置と弁開位置の間に動かされるボタンを含んでいる。
【００３０】
本発明の飲料製品のディスペンサの様々な好ましい実施の形態はここで添付図面に示すいくつかの好ましい実施の形態に関して説明される。
【００３１】
発明の飲料製品の第１の好ましい実施の形態は図１で示される。飲料製品は、ディスペンサ１と飲料２を含んでなる。ディスペンサ１は飲料を保持するための容器３を有する。容器３は少なくとも２.５気圧の内部ゲージ圧に耐えることができる。飲料は水をベースとしたものであり、飲料２の上の頭隙４中に入れられた可溶性の小さい泡立ちガス（酸素、窒素、亜酸化窒素、水素、ガス状炭化水素、例えばヘリウム、ネオン、クリプトンのうちの１又は２以上の希ガス、又はそれらの混合物）のいくらかが飲料に溶け込んでいる。容器３は首を有し、この首に常時閉弁５が嵌合されている。これは望ましくは、高スループット・エーロゾル弁である。ディップチューブ（浸し管）６は下向きに弁５から頭隙４を通って飲料２の中に延伸する。弁５が開かれて、ディスペンサ１が直立しているとき、加圧された飲料２は圧力下でディップチューブを登り、弁５を介してディスペンサ１から押し出される。
【００３２】
第１の好ましい実施の形態では、ディップチューブ６は剛性であるが、可撓性材料で作ることもできる。ディップチューブ６が可撓性の場合、ディスペンサが傾けられ飲料の量が低下するときにチューブ６が飲料中に没入したままの状態にするために、チューブ６の端部に重り（図示省略）を取り付けることが有利である。
【００３３】
第１の好ましい実施の形態の弁５は図２でより詳細に図示される。弁５は弁ハウジング７を有し、その下端部は図１で示されるようにディップチューブ６の上端部に取り付けられている。ハウジング７の上端部は弁の弁座を形成する可動弁部材９と協働するガスケット８を有する。その弁部材９は弁軸１０によって構成される。弁軸１０は、管状弁軸１０の壁を貫通して延伸する半径方向ポート１５と連通する盲孔１４を有する。管状弁軸１０がスプリング１１により閉位置に付勢されており、この位置において半径方向ポート１５の外端はガスケット８と係合して液体の流れがハウジング７から半径方向ポート１５及び盲孔１４内に入ることを防ぐ。さらなるガスケット１２と環状リング１３は、弁５が例えば、クリンピングによって容器３の首に密閉されることを可能にする。
【００３４】
飲料２を分配するために、ユーザは弁軸１０(又は弁軸１０に取り付けられた別の要素)を傾けるか、又は押しスプリング１１の付勢に打ち勝ち半径方向のポート１５の外端を移動させてガスケット８との接触を外して、飲料が弁軸１０の半径方向ポート１５及び盲孔１４内に流入させる。飲むために飲料２を別の容器に分配することとしてもよいが、望ましくは、直接消費者の口の中に分配する。
【００３５】
本発明の飲料製品の第２の好ましい実施の形態は図３で示される。図３で示される飲料製品はディップチューブ６を有しないことを除き、図１で示されるものと同様である。それは、消費者がディスペンサの飲物を飲む前にディスペンサを逆にするか、又は少なくともかなり傾けらなければならないことを意味する。
【００３６】
図１と３で示される飲料製品の第１及び第２の実施の形態を製造するために飲料２が容器３に入れられ、次に容器３を泡立ち誘起ガスで洗い流すことができる。容器３は次に弁５で密閉され、そして、頭隙４における圧力がその必要な値（望ましくは２.５気圧ゲージ以上である）に達するまでさらなる泡立ち誘起ガスが弁５を通して加えられる。次に弁５が操作のために開かれると、頭隙４における圧力は飲料を発泡性の液体としてディップチューブ６と弁５を通して押し出す。このため、圧力がそれほど高くない場合、かなりの量の頭隙が初めに存在しているべきである。望ましくは、頭隙４は容器２の容量の１０〜８０％、望ましくは２０〜５０％を占める。
【００３７】
本発明の飲料製品の第３の好ましい実施の形態は図４で示される。この実施の形態では、第１の好ましい実施の形態のディップチューブ６は、弁５のハウジング７に密閉される上側首を有する可撓性バッグ１６に取り替えられる。バッグ１６は、頭隙４及び第２ガススペース１７における可溶性の小さいガス又はガス混合物からの圧力下で飲料２を保持する。頭隙４を図１と３で示される飲料製品の頭隙４よりもかなり小さくすることができる。第２ガススペース１７はバッグ１６と容器３の間に存在している。この第２ガススペース１７は、容器３の壁又は底部を貫通する第２弁(図示省略)を通して加圧ガスで満たされる。第２ガスは頭隙４を満たすガス（又は混合気）と同じ又は異なるガスであってもよい。この構造は容器３の方向にかかわらず飲料２を分配することができる。
【００３８】
図４で示される第３実施の形態を製造するために、可撓性バッグ１４に飲料２を入れ、弁５により容器３の首を密閉する。泡立ち誘起ガスを次に弁５を通して頭隙４に取り入れる。頭隙４は非常に小さくてもよく、望ましくはバッグ１４の容量の２０％未満である。弁５が容器に密閉された後にバッグ１６と容器３の間のスペース１７は加圧される。スペース１７の中のガスの膨張は、飲料２をディスペンサ１の容器３から弁５を通して、飲むための別の容器の中、又は、消費者の口の中に直接押しやるための原動力を提供する。
【００３９】
前述の各実施の形態において、頭隙４の圧力は２.５気圧ゲージを超え、この圧力は、可溶性の小さいガス(又は可溶性の小さい複数のガスの混合物)が消費者の口又はテスト条件下で水の中へ放出されるときにそれを泡立たせる。この効果は例１と２に示される。
【００４０】
本発明の飲料製品の第４の好ましい実施の形態は図５で示される。それは第１の実施の形態と非常に似ているが、容器が人間工学的に消費者の手に合うように曲線形であり、より有意義に、開孔１８が望ましくはディップチューブ６が弁５に取り付けられるところの近くにおいてディップチューブ６又は弁ハウジング７の壁に設けられているという点において異なる。この実施の形態では開孔１８が単一の開孔として形成されているが、これに代えて、複数の開孔とすることができ、又はメッシュ若しくは他の形式の多孔性の材料を使用することができる。
【００４１】
使用中に、ディスペンサ１が直立位置にある状態で消費者は下向き又は横向きの力を弁部材９に与えて弁５を開く。非エアゾールタイプの弁が使用されるならば、消費者は、代わりにそれを開くためにトルクを適用してもよい。弁５を開くと、ガスはディップチューブ６内を流れる加圧飲料２の流れの中にディップチューブ６の開孔１８を通して連行され、その結果、発泡性の液体を構成する液体とガスの二相混合物が放出される。力が弁部材９から取り除かれると、スプリング１１の機能により弁５は閉じ、容器３からの発泡性の液体の流れは止まる。この様に弁５は、飲料と泡立ち誘起ガスの供給が枯渇するまで望まれるように難度も操作可能である。第１の好ましい実施の形態と異なって、第４の好ましい実施の形態はいかなる向きでも機能するが、垂直に保持されると、よりよく働く傾向がある。
【００４２】
アクチェエータは望ましくは、本発明の飲料製品のディスペンサ１に取り付けられその一部を形成し、そして弁５をその閉位置から開位置へ移すための手段を含んでいる。望ましくはこの作動は反対も可能であり、特に、消費者の口及び／又は歯を使用して作動可能である。図６ａないし１４ｃはここで詳細に説明されるさまざまな口で操作されるアクチェエータを図示する。
【００４３】
口で操作されるアクチェエータ２０の第１の好ましい実施の形態は図６ａ、６ｂ、６ｃ及び６ｄに示される。図６ａ（これは断面図である）について言及して、アクチェエータ２０は容器３の首及び／又はディスペンサ１の弁５に固着され、エーロゾル弁５の弁軸１０を覆う。アクチェエータ２０はハウジング２１と、ピボット点２２においてディスペンサに取り付けられる弁軸延伸部２４を有する。
【００４４】
ハウジング２１の上部は先細のノズル部分２３を形成し、このノズル部分は、弁軸１０からノズルの上端のノズル出口２５まで続く弁軸延伸部２４によって構成される中央流路を有する。ハウジング２１とノズル部分２３は、それが消費者の口に挿入されたときに消費者の唇がノズルに係合してシールを提供するように形成されている。
【００４５】
アクチェエータは弁軸延伸部２４に取り付けられるボタン２６を有する。ボタン２６はハウジング２１の円形のボタン開孔２７を通って壁から突出する。ボタン２６は図６ａで示される通常非作動位置と図６ｂで示される押された作動位置の間で可動である。図６ａに図示されるボタン位置では、どんな発泡性の液体も容器３から漏れることがないように弁が閉じられる。図６ｂに図示されるボタン位置では、ボタン２６は弁軸延伸部２４をピボット点２２回りに回転させることによって弁軸１０を垂直に押し下げて変位させて弁５を開いている。このように、弁軸１０はこの実施の形態で線形に変位可能である。ボタン２６の反対側のノズル領域には、例えば、くぼみ若しくは出っ張りを一体的に成型し又はノンスリップ材料を塗布することにより、滑らかでない表面２８ａが形成されている。同様の滑らかでない表面はボタン２６の表面２８ｂに供給されてもよい。
【００４６】
図６ｃ、６ｄは、図６ａ、６ｂ、に示される口で操作されるアクチェエータの前部及び後部概観を示す。
【００４７】
使用中に、消費者はディスペンサ１の外側の筐体を把持し、口で操作するアクチェエータのノズル部分２３を自己の口の中に挿入する。弁を開いて発泡性の液体を直接口に分配するために、消費者はボタン２６の滑らかでない表面２８ｂとボタン２６の反対側の領域の滑らかでない領域２８ａを噛む。その動作は、図６ａ、６ｂにおける実線矢印によって図示される運動方向にボタン２６を押す。滑らかでない表面２８ａと２８ｂは、消費者の歯が滑ることを防ぐ。噛む動作が取り除かれた結果，ノズルを横切って適用された圧縮力が取り除かれると、ボタン２６はその通常延伸位置に（そして、弁はその閉位置に）復帰する。
【００４８】
口で操作されるアクチェエータの第２の好ましい実施の形態は図７ａ、７ｂ、７ｃ及び７ｄに示される。この実施の形態では、弁は傾斜作動可能である。図７ａと７ｂに示されるアクチェエータ２０のボタン２６は弁軸延伸部２４に取り付けられないが、ピボット点２９を介してハウジング２１に取り付けられている。消費者の歯がボタン２６に係合すると、ボタン２６はピボット点２９回りに旋回し、これにより弁軸１０を変位させ弁を開いて発泡性の液体を直接消費者の口の中に分配する。弁軸延伸部２４を可撓性材料で作ることができ、そうすることでそれは屈曲することができ、操作の間に弁軸１０に対する良好なシールを維持することができる。
【００４９】
図７ａと７ｂの口で操作されるアクチェエータの第２の好ましい実施の形態の外観は図７ｃ、７ｄにそれぞれ正面概観図及び背面概観図として示される。
【００５０】
口で操作されるアクチェエータの第３の好ましい実施の形態は図８ａ、８ｂ、８ｃ及び８ｄに示される。この実施の形態では、アクチェエータ２０は、ハウジング２１の対向両側に配設された２つの押しボタン２６を有し、各ボタンは、図７ａ、７ｂに示されるアクチェエータとの第２の好ましい実施の形態のボタン２６のようにピボット点２９において旋回自在にハウジング２１に連結されている。２個のボタンは、(図７ｂに示すように)押されると、ヒンジ点２９回りに旋回し、弁軸延伸部の端部において、下向きに広がっている截頭円錐体と係合し、弁軸１０を容器の方へ移動させて弁５を開いて発泡性の液体を分配する。このように、弁軸１０はこの実施の形態では線形変位可能である。
【００５１】
図８ｃと８ｄは、図８ａと８ｂのディスペンサのノズルの外観をそれぞれ正面外観図及び背面外観図として示すものである。
【００５２】
口で操作されるアクチェエータの第４の好ましい実施の形態は図９ａと９ｂに示される。この実施の形態では、ボタン２６が弁軸延伸部２４に取り付けられており、それは、(図９に示すように)押されると、弁軸延伸部２４を傾け傾斜操作弁を開いて発泡性の液体を分配する。外観は図６ｃと６ｄに示される第１の好ましい実施の形態のアクチェエータのものと同じである。
【００５３】
口で操作されるアクチェエータの第５の好ましい実施の形態は図１０ａ、１０ｂ、１０ｃ及び１０ｄに示される。この実施の形態では、ボタン２６はハウジング２１上で押し下げられ、ボタンが押し下げられると、弁軸延伸部２４はハウジング２１の先端近くのピボット点３０回りに旋回して傾斜操作弁を開く。
【００５４】
図１０ｃと１０ｄはそれぞれ、そのアクチェエータの外観を前部概観及び後部概観として示す。
【００５５】
代替的に、弁軸延伸部２４の先端をハウジング２１の先端に堅固に固定することができ、弁軸延伸部２４とハウジング２１を可撓性材料で作ることができる。そのような変形例においては、弁軸延伸部２４に取り付けられたボタン２６は通常高く、ボタンは、それが押されると、弁軸延伸部２４を屈曲させ、同時に弁軸１０を傾斜させて、その結果、弁５を開く。弁軸延伸部２４の可撓性は、操作の間に弁軸１０と弁軸延伸部２４の間に良好なシールを維持する。
【００５６】
口で操作されるアクチェエータの第６の好ましい実施の形態は図１１ａと１１ｂに示される。この実施の形態では、アクチェエータは可撓性の弁軸延伸部２４を有する。ボタン２６を押すことで弁軸延伸部２４を撓ませ、その結果、弁軸１０を傾け弁を開く。ボタン２６はピボット点２９においてハウジング２１に取り付けられる。
【００５７】
アクチェエータの第６の好ましい実施の形態の外観は図７ｃと７ｄに示されるアクチェエータの第２の好ましい実施の形態のものと同じである。
【００５８】
口で操作されるアクチェエータの第７の好ましい実施の形態は図１２ａ、１２ｂ、１２ｃ及び１２ｄに示される。この実施の形態では、消費者は自己の歯でハウジング２１をつかんで、図１２ａに示される実線矢印１２ｂの向きに下向きの力を適用する。ハウジング２１は容器に向かってハウジング２１の上部を動かす蛇腹構成３１を有する。ハウジング２１に適用される下向きの力は弁軸１０に伝達され弁を開き、その結果、発泡性の液体が分配される。
【００５９】
図１２ｃと１２ｄはそれぞれ、アクチェエータの第７の好ましい実施の形態の外観を前部外観及び後部外観として図示し、かつ、ハウジング２１の前述の蛇腹構成３１を示す。
【００６０】
口で操作されるアクチェエータの第８の好ましい実施の形態は図１３ａ、１３ｂ、１３ｃ及び１３ｄに示される。この実施の形態ではノズル部分２３はアクチェエータ２０の別の部分であり、ハウジング２１に螺合されノズル部分２３とディスペンサ１の残りの部分の相対的な回転を与える。消費者は、使用の際に、ノズル部分２３を自己の歯の間に把持し、次に、ハウジング２１（それが容器を囲むところ）を握ってノズル部分２３に対して容器３を回転させる。この回転（図１３ｂで実線矢印によって示される）は、弁軸１０を動かして弁を開き、その結果、発泡性の液体を直接消費者の口の中に分配する。
【００６１】
図１３ｃと１３ｄはそれぞれ、アクチェエータの第８の好ましい実施の形態の外観を前部及び後部概観図として図示する。
【００６２】
口で操作されるアクチェエータの第９の好ましい実施の形態は図１４ａ、１４ｂ及び１４ｃに示される。この実施の形態では、アクチェエータの片側は消費者の下唇に接触するように設計される凹形のくぼみ３２を有する。しかし、より重要なことに、アクチェエータ２０は、弁軸延伸部２４の周りに形成された摺動自在なプラグ３３を有し、ディスペンサが逆さであるときに、弁が開くことを防ぐ。
【００６３】
アクチェエータは、弁軸延伸部２４が可撓性であり、ボタン２６に圧力を加えることによって弁５が開かれるという点で図１１ａ及び１１ｂに示す第６の好ましい実施の形態のものと同様であり、この構成により、弁軸延伸部２４を屈曲させて弁軸１０を傾斜させる。ディスペンサがほぼ直立位置で使用されるとき(図１４ａと１４ｂを参照)、摺動自在なプラグ３３はどんな効果も有しない。しかしながら、ディスペンサが逆さであるときに(図１４ｃを参照)、摺動自在なプラグ３３は弁軸延伸部２４上をノズル出口２５に向かって滑動し、そして、プラグ３３の一部をなすくさび３４は、消費者がボタン２６を押そうとするとき、消費者が弁軸延伸部２４を屈曲させることを防ぐことができるくらいの抵抗を与える。ストッパ３５は、ディスペンサが逆さであるときに、プラグ３３の動きを制限するためにノズル２３に隣接して弁軸延伸部２４の外表面に設けられる。
【００６４】
口で操作されるアクチェエータのすべての実施の形態において、消費者のひとかじりのコントロールの下で液体は消費者の口の中に直接配送される。消費者の指はノズルのどんな部分にも触れる必要はないのでノズルを汚染するような機会を少なくする。望まれるならば、保護のための取替え可能なキャップ（図示省略）によりノズルを覆うことができる。
【００６５】
望まれるならば、本発明の飲料製品は可溶性の小さいガス若しくはガス混合物及び／又はディスペンサが使用されるときに容器に解放される風味濃縮物を含むウィジェットを含むことができる。
【００６６】
「ウィジェット」は技術分野（少なくとも醸造業）における用語であり、ビール缶が開かれたときにビール缶内に加圧ガスを解放し、生ビールの典型的なクリーム状のヘッド（表面の泡）を生産する装置のことを指す。第１ウィジェットシシステム、即ち、缶内発泡システムはイギリス特許明細書ＧＢ２１８３５９２Ａ（アーサーギネスサンカンパニー（ダブリン）リミティッド）で説明されている。他の様々なバージョンは以来、商業的に入手できるようになっている。
【００６７】
本発明の飲料製品の第１０の好ましい実施の形態はウィジェットタイプの装置（ここでは、単に「ウィジェット」と呼ぶ）を含んでいる。この実施の形態は図１５で示され、ウィジェットは図１６ａと１６ｂにおいてより詳細に示される。
【００６８】
図１５で示される飲料製品の第１０の実施の形態は、容器３の中に飲料２を含むようにディスペンサ１を含んでなるという点で図１で示される第１の実施の形態に非常に似ている。ディスペンサはディップチューブ６を備える弁５（図示省略）を有する。この実施の形態では、環状ウィジェット３６は容器３のベースの上のディップチューブ６の入口の周りに吊されている。ウィジェットは図１６ａにおいて上から見た斜視図として示され、図１６ｂにおいて下から見た斜視図として示される。図１６ｂで見られるように、ウィジェット３６の下向きの面に複数の孔３７が形成されている。当然、孔は他の形態を取ることができ、単一の孔でも十分であろうし、又はウィジェットはメッシュ若しくは他の多孔材を含むことができる。図示のウィジェット３６がまさしくガスで満たされる場合、複数の孔３７はどんな方向に面することができる。
【００６９】
ウィジェット３６は圧力下の可溶性の小さい泡立ち誘起ガス又はガス混合物を含んでいて、容器３の内容物が加圧されている間、そこに残っている。使用の際に消費者が弁を初めて開くと、頭隙の中の加圧ガスがある程度分配されるので容器の中の圧力は低下する。可溶性の小さいガスかガス混合物はウィジェット３６から複数の孔３７を介して逃げる。可溶性の小さいガス又はガス混合物が容器の中で自由であるならば、発泡性の液体は以前に説明されるように作られて飲用容器に注がれ、又は消費者の口に直接向けられるであろう。
【００７０】
ウィジェットをまた含む本発明の飲料製品の第１１の好ましい実施の形態は図１７の断面図で示される。この実施の形態では、ウィジェット３６はほぼ球体であり、その内容物をディップチューブ６に放出するために上向きに位置する少なくとも１つの孔３７を含んでいる。ディップチューブ６は、ウィジェット３６の放出内容物を捕らえるために広がったフレアー状の入口３８を有する。ディップチューブ６は、飲料製品の第４の好ましい実施の形態の開孔１６を任意に有することができる。
【００７１】
図１６に示されるウィジェットのようなウィジェットが望まれるならば、缶は可溶性の小さいガスかガス混合物と共に濃縮された風味料を含む。この場合、風味は、ディップチューブの端部近のウィジェットから出され、飲料と共に取り出される。物理変化を起こしやすい風味を飲料の上にある頭隙のガスから分離した状態に保つのにこのアレンジメントを使用することができる。
【００７２】
例
本発明の飲料製品をここで、以下の例に関して説明する。
【００７３】
例１
有効な泡立ちのための充填圧の決定
必要な泡立ちを発生させるのに必要な圧力を決定するために以下の実験が行われた。
【００７４】
酸素と窒素を様々な割合（Ｏ２のモル分率０.０、０.２５、０.５、０.７５、１.０）で含むガス試料が準備され、多様な充填圧を用いて図３で示す飲料ディスペンサを満たすために使用された。ディスペンサは、それらが細かい煙のような発泡性の液体を生産したかどうかを知るためにテストされた。
【００７５】
サンプルは、再現性をチェックするために２つ準備されて、それぞれがテストされた。すべての温度は熱電対プローブを使用して測定された。
【００７６】
各サンプルに関して、以下のプロトコルが観測された。
【００７７】
（１）質量が２８ｇ、縁までいっぱいに満たした場合の容量が５２０ｍｌの丈夫なポリエチレンテレフタレート（「ペット」）ボトルに１０±０.５℃の３００ｍｌの水道水を注いだ。次に、これもまた１０±０.５℃の温度制御バスにボトルを入れて平衡させた。
【００７８】
（２）酸素窒素混合物の中の酸素ガスの割合はあらかじめ決められ、そして、混合物の中のより高い分圧を有する方のガスを「ガス１」と呼び、他方のガスを「ガス２」と呼ぶこととした。
【００７９】
（３）ボトルの中の水の上の頭隙を５〜１０秒間ガス１によって洗い流し、次にエーロゾル弁をボトルの首に素早く置いて、ガス１が流出しないように、また、空気が流れ込まないようにボトルを密閉した。次に、弁軸にアクセスできるよう、中央に穿設された小孔を有するねじぶたによりエーロゾル弁を所定位置に堅固に保持した。
【００８０】
（４）次に、圧力が「ｐ１」まで達するまでガス１調整供給源からガス１がさらにエーロゾル弁の弁軸を通して加えられた。次に、内部ガスが液体と同じ温度にするためにボトルを振り、そして、ボトルに圧力がｐ１になるまでさらなるガス１をつぎ足した。このことは、最初にボトルに注がれたガスの温度が１０℃よりもいくらか高かったので、必要であった。
【００８１】
(５) 次に、ガス２を圧力「ｐ２」に達するまでガス２調整供給源から弁軸を通して加えた。ここでも、ボトルを振り、さらなるガス２を継ぎ足し圧力ｐ２に達しさせた。p１とp２の両方とも２個のガス調整供給源に設けられた圧力計により気圧（ゲージ）の単位で測定された。
【００８２】
(６) 次に密閉されたボトルは平衡させるために５分間１０±０.５℃の温度制御バスに入れ、ボトル内でガス混合物と水を好ましく接触させるためにサンプルが３０秒毎に振られた。
【００８３】
（７）次に、ボトルは２１±１℃の温度であった水の下で排出された。排出された液体の流れは、それがボトルから出て黒いプラスチックシートにぶつかるときに、目に見える煙のような細かい泡立ちがあったかどうかについて注意して観測された。
【００８４】
この実験の結果をゲージ圧ｐ２（縦軸）に対する混合物中に存在する酸素モル分率（横軸）をプロットすることにより図１８に示す。
【００８５】
図１８の各エラーバーは、泡立ちが確実に見られないｐ２の最も高い圧力であるｐ２の低値から、泡立ちが確実に見られるｐ２の最も低い圧力であるｐ２の高値まで立ち上がっている。したがって、本当の臨界圧がエラーバーのどこかにある。泡立ちが見られかどうかに関して何らかの疑問を生じさせる圧力があるならば、これはエラーバー上に「ｘ」としてマークされる。その結果、これらの「ｘ」マークは臨界充填圧の位置の最も良い推定を表す。
【００８６】
グラフは番号４０と４１で示す細い線で描かれている２つの結果を有する。これらの結果はわかりやすくするためにわざと横方向にわずかにずらした状態で示される。したがって、結果４０に関する混合物の中の酸素の真のモル分率は０．０であり、結果４１に関する混合物の中の酸素の真のモル分率は１．０である。番号４０と４１で示す結果は傾斜作動エアゾールタイプ弁に関するものであり、他のすべての結果は押し下げ作動エアゾールタイプ弁に関するものである。これらの結果は、使用され弁のタイプ間でいかなる有意差もないことを示す。
【００８７】
結果は、酸素と窒素のすべての混合物に関して、頭隙における初圧が２.５気圧以上である飲料から細かい煙のような泡立ちが発生することを示す。
【００８８】
例２
ガス混合物を用いて得られる泡立ち
水に溶けるガスのみならず水に対する可溶性が小さい（低い）ガスを含むガス混合物を使用することで必要な泡立ちが得られるかどうか決定するために以下の実験が行われた。
【００８９】
以下のプロトコルに応じて１２の実験がなされた。図３で示される飲料製品の第２の好ましい実施の形態を使用した実験器具を図１９に示す。与えられているすべての温度は熱電対プローブを使用することで測定された。
【００９０】
（１）質量２８ｇ、縁いっぱいまで（あふれるときまで入れたとき）の容量が５２０ｍｌの丈夫なポリエチレンテレフタレート（「ペット」）容器（図１９において番号３で示す）に１０±０.５℃の水道水３００ｍｌを注いだ。次に容器３をこれまた１０±０.５℃の温度制御バス内に置いて均衡化させた。
【００９１】
（２）文字「Ａ」から「Ｌ」を用いて以下で包括的に言及される１２の実験が行われた。これらの実験では容器３にガスを加える方法がて異なる。すべての実験では、図１９で示されるディスペンサ１の弁５はねじぶたによって容器３に固定された。ねじぶたが孔を有し、弁軸１０はこの孔内を延伸するが、気密シールを与える。
【００９２】
実験Ａでは、頭隙４の圧力が４気圧ゲージになるまで酸素を弁軸１０を通して加えた。容器３を振り、次に、内部圧力がもう一度４気圧ゲージになるまで同様に容器を酸素で満たした。
【００９３】
実験Ｂでは、容器３の頭隙４をガス調整供給源からの二酸化炭素で５秒間の洗い流し、空気を頭隙４から取り除いた。次に容器３を密閉して上記ガス調整供給源からＣＯ２を４気圧で弁軸１０を介して加えた。ガスが加えられている間に容器３を２０秒間絶えず振り続け、二酸化炭素を水４０にほぼ均衡させた。
【００９４】
実験Ｃでは、容器３が密閉される前に頭隙４から空気を取り除くために頭隙４を５秒間酸素によって洗い流すことを除き、実験Ａの手順に従った。
【００９５】
実験ＤとＪでは、容器３は実験Ｃのように酸素によって洗い流されて、密閉された。次に酸素ガスを弁軸１０を通して、実験Ｄでは３気圧ゲージ、実験Ｊは３．５気圧ゲージの圧力に上昇するまで加えた。次に容器３を振って、実験Ｄでは３気圧ゲージ、実験Ｊでは３．５気圧ゲージになるように酸素でさらに上部を満たした。両方の場合において、次に、２０秒間連続して振りながら４気圧ゲージの終圧になるまで二酸化炭素を弁軸１０を介して加えた。
【００９６】
実験Ｅでは、頭隙を２０秒間二酸化炭素で洗い流すとともに容器３を振り、Ｃ０２を飲料２（すなわち、水）にほぼ均衡させた。次に容器３を密閉し４気圧ゲージになるまで酸素を弁軸１０を介して加えた。次に容器３を振ってその上部を４気圧ゲージになるまで酸素で満たした。
【００９７】
実験Ｆ、は、容器３を５秒間ＣＯ２で洗い流した後密閉した。そして２０秒間振りながら二酸化炭素を弁軸１０を通して加えた。ＣＯ２の終圧は実験Ｆ、Ｈ及びＩでそれぞれ、１、２及び３気圧ゲージに選ばれた。次に容器はすべての場合において、酸素でいっぱいに満たされて再び４気圧ゲージまで加圧された。
【００９８】
実験ＧとＫ（同じである）では、存在するいかなる空気も追放するために容器３を５秒間Ｃ０２で洗い流したが、容器は振らなかった。次に容器３は密閉し４気圧ゲージになるまで酸素でさらに満たした。実験Lでは、すべての時点での酸素に代わって窒素を使用したことを除き、実験Ｃの手順に従がった。
【００９９】
（３）手順のこの段階において、容器をすべて４気圧ゲージ圧になるまで充填した。但し、異なるガス混合物で充填した。
【０１００】
（４）各実験において、容器３を（実験Ｉのように）３０秒毎に振りながら、５分間１８±０.５℃の温度制御バス内で均衡化した。
【０１０１】
（５）いずれのケースにおいても容器３を逆にし、その内容物の少量部分を第１の可撓性のゴム管４５（これは弁１０に対して良好なシールを形成する）を通して放出した。水平に固定されたガラス管４６にゴム管４５を接続した。ガラス管の全長の大部分は平坦な側面を持った高さ（垂直方向の長さ）９ｍｍ、幅５ｍｍ、長さ１５ｃｍの管から成る。ガラス管のもう一方の端部は、ビーカー４８へ注いでいる第２の可撓性ゴム管４７につながれている。測定距離をビデオ画像から正確に測定するために、分離距離が１ｍｍの線からなる格子をガラス管の後ろに置いた。
【０１０２】
液体である間、放出されている、ビデオカメラが放出された液体の外観を記録するのに使用されたということであることは弁３からの距離１５ｃｍであったか？この目視領域は図１９を４９とラベルされる。線が１ｍｍ切り離されている格子は、距離がビデオ画像から正確に測定されることを許容するためにガラス管の後ろに置いた。
【０１０３】
（６）弁から泡立ちを少し放出した後に、ビデオカメラを使用してガラス管４６の目視領域４９で泡立ちを観測した。これはガラス管４６内で上昇した気泡から成る。ガラス管の上端に達したとき、気泡は、より大きい気泡と合体した。しかしながら、気泡が現在静止した液体の中で上昇していた間に、気泡が１ｍｍ上昇するのに必要なビデオフレームの数を数えることによって、気泡の上昇速度を測定することができる。これらの速度は、既知の密度と粘性の液体（本例の場合１８℃の水）の中の球の上昇に関するストークスの法則を使用して気泡径に変換された。
【０１０４】
これらの１２の実験の結果は表１にまとめられている。表は「単一」上昇時間と「多重」上昇時間について言及する。「単一」上昇時間は個別に像に描かれた複数の気泡の上昇速度である。一方、「多重」上昇時間は泡立ち雲の表面の上昇速度である。
【０１０５】
【表１】
2004532772.tif 000002
【０１０６】
酸素と二酸化炭素の混合物（すなわち実験Ｂ、Ｃ、Ｄ、Ｅ、Ｆ、Ｇ、Ｈ、Ｊ及びＫ）に関する結果を図２０のグラフに示す。図２０において、「単一」気泡上昇時間の結果を塗りつぶされた円（黒丸）で、「多重」気泡上昇時間の結果を塗りつぶされていない円（白丸）で示す。
【０１０７】
これらの結果から、ガス混合物の中に大量の二酸化炭素分が存在するならば、泡立ちの気泡サイズは、純粋な酸素の場合の値よりも増加するということが明確である。
【０１０８】
実験ＡとＬは、細かい泡立ち（純粋な酸素によって生産されたもののと同じもの）もまた、別の可溶性の小さいガス（窒素）及び窒素と酸素の混合物で発生することを示す。
【０１０９】
実験ＢないしＫは包括的に、可溶性ガス（二酸化炭素）の分圧が１気圧（絶対）を超えないならば（すなわち、可溶性の小さいガス（この場合、酸素）の分圧が飲料の上の合計絶対圧から１気圧を引いたもの以上ならば）、泡立ちサイズは純粋な酸素に関する値と有意に異なることはない。
【０１１０】
言い換えれば、ほとんど溶けない複数ガスの混合物によって生成され飲まれた飲料に（とげの多いのとは対照的に）滑らか感覚を与える細かい煙のような泡立ちは、可溶性ガスの混合物があるときに保持される。それには、容器の中の飲料の上の可溶性ガスの分圧（絶対）が大気圧を超えないことである。すなわち、可溶性ガスが１気圧の絶対圧の給仕圧においてひどく過飽和しないことである。
【図面の簡単な説明】
【０１１１】
【図１】図１は本発明の飲料製品の第１の好ましい実施の形態の断面図である。
【図２】図２は図１で示される飲料製品の弁の拡大断面図である。
【図３】図３は本発明の飲料製品の第２の好ましい実施の形態の断面図である。
【図４】図４は本発明の飲料製品の第３の好ましい実施の形態の断面図である。
【図５】図５は本発明の飲料製品の第４の好ましい実施の形態の断面図である。
【図６】図６ａ、６ｂ、６ｃ及び６ｄは、本発明の飲料製品から飲料を分配するのに使用できる第１の好ましい、口で操作するアクチェエータの内観図及び外観図である。
【図７】図７ａ、７ｂ、７ｃ及び７ｄは、本発明の飲料製品から飲料を分配するのに使用できる第２の好ましい、口で操作するアクチェエータの内観図及び外観図である。
【図８】図８ａ、８ｂ、８ｃ及び８ｄは、本発明の飲料製品から飲料を分配するのに使用できる第３の好ましい、口で操作するアクチェエータの内観図及び外観図である。
【図９】図９ａと９ｂは、本発明の飲料製品から飲料を分配するのに使用できる第４の好ましい、口で操作するアクチェエータの内観図及び外観図である。
【図１０】図１０ａ、１０ｂ、１０ｃ及び１０ｄは、本発明の飲料製品から飲料を分配するのに使用できる第５の好ましい、口で操作するアクチェエータの内観図及び外観図である。
【図１１】図１１ａと１１ｂは、本発明の飲料製品から飲料を分配するのに使用できる第６の好ましい、口で操作するアクチェエータの内観図及び外観図である。
【図１２】図１２ａ、１２ｂ、１２ｃ及び１２ｄは本発明の飲料製品から飲料を分配するのに使用できる第７の好ましい、口で操作するアクチェエータの内観図及び外観図である。
【図１３】図１３ａ、１３ｂ、１３ｃ及び１３ｄは、本発明の飲料製品から飲料を分配するのに使用できる第８の好ましい、口で操作するアクチェエータの内観図及び外観図である。
【図１４】図１４ａ、１４ｂ及び１４ｃは、本発明の飲料製品から飲料を分配するのに使用できる第９の好ましい、口で操作するアクチェエータの断面図である。
【図１５】図１５は、ウィジェット装置を含む本発明の飲料製品の第５の好ましい実施の形態の断面図である。
【図１６】図１６ａと図１６ｂはそれぞれ、図１５に示すウィジェット装置を上から及び下から見た斜視図である。
【図１７】図１７は本発明の飲料製品の第６の好ましい実施の形態の断面図であり、飲料製品はディップチューブの裾広がり状の端部の下において容器内に保持されるガスカプセルを有する。
【図１８】図１８は図３で示される飲料製品に対する許容圧力を示すグラフである（例１参照）。
【図１９】図１９は図３で示される飲料製品の第２実施の形態の使用から生じる泡立ちテストに使用されるアセンブリの図である（例２参照）。
【図２０】図２０は、図３で示される飲料製品中の酸素の変化分圧に対する気泡サイズの変化を図示するグラフである（例２参照）。
【図１８】
2004532772.tif 000003
【図２０】
2004532772.tif 000004
【国際公開パンフレット】
2004532772.tif 000005
2004532772.tif 000006
2004532772.tif 000007
2004532772.tif 000008
2004532772.tif 000009
2004532772.tif 000010
2004532772.tif 000011
2004532772.tif 000012
2004532772.tif 000013
2004532772.tif 000014
2004532772.tif 000015
2004532772.tif 000016
2004532772.tif 000017
2004532772.tif 000018
2004532772.tif 000019
2004532772.tif 000020
2004532772.tif 000021
2004532772.tif 000022
2004532772.tif 000023
2004532772.tif 000024
2004532772.tif 000025
2004532772.tif 000026
2004532772.tif 000027
2004532772.tif 000028
2004532772.tif 000029
2004532772.tif 000030
2004532772.tif 000031
2004532772.tif 000032
2004532772.tif 000033
2004532772.tif 000034
2004532772.tif 000035
2004532772.tif 000036
2004532772.tif 000037
2004532772.tif 000038
2004532772.tif 000039
2004532772.tif 000040
2004532772.tif 000041
2004532772.tif 000042
2004532772.tif 000043
2004532772.tif 000044
2004532772.tif 000045
2004532772.tif 000046
2004532772.tif 000047
【国際調査報告】
2004532772.tif 000048
2004532772.tif 000049
2004532772.tif 000050